(57)【要約】【課題】インターネットオークションサイト上の参加者情報は、主催者側のサーバー上に存在する事により参加者の落札情報の編集が出来ない状況となっていた。また、落札後のメールを使っての商品取引交渉は、数回のメールのやり取りが発生し、かなりの煩雑さを要するものであった。【解決手段】主催者側の参加者情報を予め用意されている落札情報データベースに書き込むシステムを構築する。登録されたデータベースから参加者が必要な編集機能システムを構築する。参加者の取引進捗状況に合わせた定型文を利用できるシステムを構築する。【選択図】図１
2004133869.tif 000002
【特許請求の範囲】
【請求項１】
インターネットオークションサイト上の落札情報を自動的又は半自動的に解析し、ユーザー単位のデータベースを構築する一連のシステム
【請求項２】
インターネットオークションの落札情報データベースを利用して、オークションデータの編集を行うシステム
【請求項３】
インターネットオークションの落札情報データベースを利用して、取引相手との交渉を自動的に行う一連のシステム
【発明の詳細な説明】
【０００１】
【発明の属する技術分野】
本考案のシステムは、インターネットオークションサイト上に表示されるデータを解析しデータベースを構築し、オークションデータ編集を行う技術に関するものである。
【０００２】
【従来の技術】
ブラウザ上に表示されるインターネットオークションサイトは、通常のオークション同様、不特定多数の入札者希望者が物品の価格入札をして、一番高額あるいは適正の価格をつけた人が購入できるというものであり、それをインターネットを利用して競売を行うサイトである。
出品者は出品物に関するコメントと画像を入力する事で、そのデータがサーバー上に登録され、これを閲覧した入札希望者が競売により落札した場合、その落札情報はオークション側のサーバーに記録され、同時にインターネットを通じて出品者及び落札者に対し、自動的に落札情報を添付した「落札通知」が自動送信されるシステムになっている。
しかし、ここで問題となるのがオークション上の全てのデータはサーバー上に保管されており、この事により以下２点のような問題が挙げられる。
▲１▼落札情報の編集が出来ない
前述のように従来の技術では商品画像データと商品説明及び価格等の「落札情報」は主催者側のサーバーに記録されており、その事が参加者にとっての編集を事実上不可能にするものであった。例えば、「落札者毎」「期間」「落札者毎の合計金額」「決済チェック」等の項目を検索する場合、参加者は膨大なデータの中から探しだしそれを各々項目毎に整理する必要がある。また、落札情報の中には「取引済み」「取引無効」「不明なデータ」等参加者にとって不要になったデータもある。この不要なデータを削除しようにもデータは主催者側のサーバーにあるので、結果的に余計なデータが増える事になる。更に驚くべき事に、ある一定期間経過後このデータは自動的に消去される。これはサーバーの容量に限界がある為である。従って、出品者及び落札者は一定期間経過後「落札記録」を閲覧できない。特に物品販売業者等オークョンを頻繁に利用する業者に至っては、何と落札後２、３日以内でデータが消去されるのである。何とも不便である。
▲２▼落札後の取引交渉が面倒である
商品落札後、当事者同士の取引交渉はメールを使って行われる。この際、特に物品販売業者等はオークションを頻繁に利用する事で大量の取引が生じる。その分購入者に対する膨大なメール文を作成する必要があり、大変煩雑な作業を要する。更に、１件の取引交渉でも「挨拶文」「振込口座案内」「到着案内」「お礼」等、数回の交渉をする事が予想されその分メールを作成する必要がある。実に面倒な作業である。
以上２点を挙げたが、現行のシステムでは主催者側にとっては便利なシステムである反面、参加者にとって必要な編集システムはほとんど整備されていない。
【０００３】
【発明が解決しようとする課題】
そこで、上記の問題点を踏まえ、それを解決する課題として、それぞれ以下の点が挙げられる。
▲１▼参加者が主催者側サーバーのデータを参加者側のパソコンに容易に取込めるシステムの構築。
▲２▼参加者が取引履歴情報を自由かつ容易に編集できるシステムの構築。
▲３▼参加者の取引交渉の煩雑さを軽減するシステムの構築。
【０００４】
【課題を解決するための手段】
上記の課題を解決する手段として、それぞれ以下のような手段を取った。
▲１▼予め用意されている落札情報データベースに参加者情報を書き込むシステムの構築
本考案のシステムを利用してインターネットオークションサイト上の参加者情報が保存されているフォルダにアクセスし、該当ＨＴＭＬファイルを検索する。そのソースファイルの中身を自動的又は半自動的に解析し、必要な情報のみを抽出する。その情報を予め用意されている落札情報データベースに書き込み、落札情報データベースを構築する。尚、このデータベースにはテキストデータと画像データが含まれる。
▲２▼登録されたデータベースから参加者が必要な編集機能システムの構築
参加者側の登録された落札情報データベースを基に、「落札者毎」「期間」「落札者毎の合計金額」「決済チェック」等の参加者に必要な検索機能を利用する事で、取引履歴情報を自由かつ容易に編集する事が出来る。また、「取引済み」「取引無効」「不明なデータ」等の不必要になったデータは、削除用出力ページにチェックを入れるだけでいつでも削除出来る。
▲３▼参加者の取引進捗状況に合わせた定型文を利用できるシステムの構築
本考案のメーラーシステムを利用し、その中に「挨拶文」「振込口座案内」「商品発送案内」「到着案内」「お礼」等の取引の進捗状況に合わせた定型文をデータベース化しておき、参加者は取引の進捗状況に合わせて定型文を利用してもらい、作業の煩雑さを軽減させる。
【０００５】
【実施例】
本考案のシステムを利用した実施例を、図１の全体フロー図を使って課題別に説明する。
尚、実際にシステムを実行するにあたって、テスト用として下記のアプリケーションを利用した。
▲１▼オペレーティングシステム　Ｍｉｃｒｏｓｏｆｔ社　ＷＩＮＤＯＷＳ２０００Ｐｒｏｆｅｓｓｉｏｎａｌ
▲２▼ブラウザ　Ｍｉｃｒｏｓｏｆｔ社　インターネット・エクスプローラー５．５
▲３▼インターネットオークションサイト　Ｙａｈｏｏ！ＪＡＰＡＮ社　Ｙａｈｏｏ！Ａｕｃｔｉｏｎ
【０００６】
データベース構築
【図１】の流れ図に沿って説明すると、既にインターネットを通じてオークション取引を行った事がある参加者が、過去の自分の落札商品に関するデータベースを構築する場合は、まず、２のサイト上のページを閲覧する為のソフトであるブラウザを起動し、１３のログインページでオークションサイトにログインし１７の商品情報が表示されているページに移動する。次に、１で示す本考案システムの「作成」ボタンを押すと、参加者のパソコン側の参加者情報が保存されているフォルダにアクセスし、該当ＨＴＭＬファイルと商品画像ファイルを検索する。そして、検索されたソースファイルを自動的又は半自動的に解析し、抽出された参加者情報を基に４のテキストデータベースと５の画像データベースを構築する
。
【図２】はこの間の解析処理と落札情報データベース構築の流れである。
【０００７】
データの編集
従来の技術では、図６に示すように参加者データは全て主催者側で管理されていた。これに対して、本考案システムでは参加者データを参加者のパソコン上に取込みデータベースを構築する事ができ、その結果自由にデータを編集出来る。そこで、本施工例に際し、データベース上に格納したデータに対し以下のような編集テストを実施した。
【図１】の流れ図に沿って説明すると、６の出力画面は本考案システムの検索機能を用いたデータ検索結果の表示画面である。検索キーは落札商品の属性項目から設定する事になるが「落札者毎」「期間毎」「落札金額」「決済チェック」等の他、これらの項目を組み合わせた複合条件キー検索や合計金額等のテキストデータのみならず商品画像データの抽出も出来る。また、不要になったデータを削除する事も可能である。
【図３】は本考案システムを利用したデータ抽出の流れと抽出結果画面を示している。
【図４】は本考案システムを利用したデータ削除の流れと削除完了画面である。
【０００８】
定型文を用いたメーラーの利用
【図１】の流れ図に沿って説明すると、１で示す本考案システムの「メール」ボタンを押すと８のメーラーが立ち上がる。このメーラー機能は通常のメーラーとほとんど変わりがない。ただ、追加項目として定型文項目が加わり、この定型文項目から取引の進捗状況に合った定型文を選ぶ。そして、「送信元」「宛先」「タイトル」を入力し「送信」ボタンを押すとメール送信完了である。尚、２度目以降は過去に送信した情報、「送信者」「サーバー名」がデータベースに登録されるので同じ項目内容を再度入力し直す必要はない。
【図５】は、本考案システムのメーラーから定型文を用いて送信する流れである。
【０００９】
【実施例の効果】
この実施形態によれば、上記の３つの実施例に対して、下記のような効果が認められた。
▲１▼データベースの構築
ユーザーは本考案システムの「作成ボタン」を押す事で、過去の自分の落札商品に関するデータをテキストデータと画像データに分けて抽出し、個々の参加者データベースを構築する効果が確認された。
▲２▼データの編集
落札情報データベースに登録されているデータから、検索キーを利用する事で「落札者毎」「期間毎」「落札金額」「決済チェック」等の他、これらの項目を組み合わせた複合条件キー検索や合計金額等のテキストデータのみならず商品画像データの抽出も出来る効果が確認された。また落札情報データベース上で不必要なデータを削除できる効果も確認された。
▲３▼定型文を用いたメーラーの利用
定型文データベースから「挨拶文」「振込口座案内」「商品発送案内」「到着案内」「お礼」等、状況に応じた定型文を取り出し「送信元」「宛先」「タイトル」を入力してもらうだけで送信出来る効果が認められた。また、２度目以降は過去に送信された情報「送信者」「サーバー名」はデータベースに登録され、メール送信の際に再度入力する必要がない効果も認められた。
【００１１】
【発明の応用範囲】
この発明は、インターネットオークションサイト上のデータ管理に限らず、サイト上のデータであればユーザーのニーズに合わせて自由に編集出来る。例として、購入又は賃貸希望の不動産情報の管理や、好きなジャンルの音楽情報の管理、購入した金融商品の価格推移情報の管理、更に商品の購買履歴管理等としても利用出来る。このように、この発明は非常に汎用性が高いのである。
【図面の簡単な説明】
【図１】システム全体フロー図
【図２】インターネットオークションシステム上のＨＴＭＬ文書を解析しデータベースを構築
【図３】データベースから商品情報を抽出
【図４】落札者がチェックした項目をデータベースから削除
【図５】メールデータベースから定型文書を呼び出し、入力項目に抽出
【図６】従来のデータ編集システム
【符号の説明】
１−　インターネットオークション情報解析システム
２−　インターネットオークションサイト商品出力画面
３−　データ抽出一時ファイル
４−　個人情報データベース
５−　画像データベース
６−　本考案システムを利用した出力画面
７−　本考案システムを利用した削除用出力画面
８−　メーラー
９−　メール情報データベース
１０−　主催者側データベース
１１−　主催者側画像データベース
１２−　Ｗｅｂサーバー
１３−　ログイン画面
１４−　ＩＤ入力欄
１５−　パスワード入力欄
１６−　インターネットオークションサイトのメインメニュー画面
１７−　インターネットオークションサイトの落札リスト出力結果画面
１８−　本考案システムを使用した出力結果画面
１９−　本考案システムを使用した削除用出力結果画面
２０−　本考案システムを使用した削除完了画面
２１−　本考案システムのメーラー
２２−　定型文
【図１】
2004133869.tif 000003
【図２】
2004133869.tif 000004
【図３】
2004133869.tif 000005
【図４】
2004133869.tif 000006
【図５】
2004133869.tif 000007
【図６】
2004133869.tif 000008